(57)【特許請求の範囲】
【請求項１】
画像形成部により片面に画像が形成されたシートを反転させて再度、前記画像形成部に搬送して前記シートの裏面に画像を形成する画像形成装置において、
前記シートを反転させる反転経路と、
前記画像形成部に反転したシートを再度搬送する再搬送路と、
前記反転経路と複数箇所で合流し、前記画像形成部により片面に画像が形成されたシートをそれぞれ該反転経路に搬送する複数の反転入り口経路と、
前記反転経路から複数箇所で分岐し、該反転経路に搬送されたシートをそれぞれ前記再搬送路に搬送する複数の反転出口経路と、
を備えたことを特徴とする画像形成装置。
【請求項２】
前記複数の反転入り口経路に順次シートを搬送し、前記シートを該複数の反転入り口経路から前記反転経路に搬送された順に前記複数の反転出口経路から前記再搬送路に順次搬送するように制御する制御手段を有することを特徴とする請求項１記載の画像形成装置。
【請求項３】
前記複数の反転入り口経路に順次搬送されたシートを前記複数の反転入り口経路、前記反転経路、前記複数の反転出口経路及び前記再搬送路に順次待機させ、所定のタイミングで前記再搬送路に待機しているシートから順に搬送することを特徴とする請求項１又は２記載の画像形成装置。
【請求項４】
画像形成される前のシートを収納するシート収納部と前記画像形成部との間に設けられ、且つ前記再搬送路が合流するシート搬送路を備え、前記複数の反転入り口経路、前記反転経路、前記複数の反転出口経路及び前記再搬送路に待機させることが可能な枚数のシートが前記シート搬送路の前記再搬送路との合流部よりも下流側に搬送された後、前記再搬送路に待機しているシートを前記シート搬送路に搬送することを特徴とする請求項３記載の画像形成装置。
【請求項５】
前記再搬送路に待機しているシートを前記シート搬送路に搬送した後、次の待機シートを前記シート搬送路に搬送する前に前記シート収納部に収納されたシートを前記シート搬送路に搬送し、前記画像形成される前のシートと前記待機シートとを交互に搬送するようにしたことを特徴とする請求項４記載の画像形成装置。
【請求項６】
前記片面に画像が形成されたシートを反転させて排出する排出通路を備え、
前記シートを反転排出する場合は、前記複数の反転入り口経路のうちの所定の反転入り口経路と前記反転経路とにより前記シートを反転させる反転排出通路を形成し、前記反転排出通路から反転したシートを前記排出通路に向わせるようにしたことを特徴とする請求項１乃至５のいずれか１項に記載の画像形成装置。
【請求項７】
前記反転排出通路は、前記排出通路に最も近い反転入り口経路を使用することを特徴とする請求項６記載の画像形成装置。
【請求項８】
前記片面に画像が形成されたシートを選択的に前記所定の反転入り口経路に搬送するよう該シートの前又は後に少なくともシート１枚分の空間を設けるようにしたことを特徴とする請求項６又は７記載の画像形成装置。
【請求項９】
画像形成される前のシートを収納するシート収納部と前記画像形成部との間に設けられ、且つ前記再搬送路が合流するシート搬送路を備え、
前記片面に画像が形成されたシートの反転排出が終了した後、前記反転排出したシート枚数と同数のシートを前記シート搬送路に搬送するようにしたことを特徴とする請求項６乃至８のいずれか１項に記載の画像形成装置。
【請求項１０】
前記シートの搬送方向の長さに応じて搬送するシートの間隔を変更するようにしたことを特徴とする請求項１乃至９のいずれか１項に記載の画像形成装置。
【発明の詳細な説明】
【０００１】
【発明の属する技術分野】
本発明は、シートの表裏両面に画像形成が可能な画像形成装置に関する。
【０００２】
【従来の技術】
従来、複写機、ページプリンタ等の画像形成装置においては、片面に画像が形成されたシートを反転させた後、再度画像形成部に搬送し、シートの裏面に画像を形成するようにしたものがあり、このような画像形成装置は、片面に画像が形成されたシートを反転させた後、再度画像形成部に搬送するための両面ユニットを備えている。
【０００３】
そして、このような両面ユニットとしては、例えば特開昭５８−１８１０６４号公報に記載されているもののように、片面にコピーをした後のシート（転写紙）をスイッチバック路に搬送して先端と後端を入れ替えた状態にして返送部に積み重ね、その返送部にシートが最初に到来した時点からカウントを開始して、そのカウント値が複写枚数に達した時に、その返送部に最初にスタックしたシートから再給紙して、それを反転部を通すことにより表裏を反転させて裏面にコピーを行うことによって、両面複写ができるようにしたものがある。
【０００４】
また、特開昭５７−１４１６５６号公報に記載されているもののように、片面にコピーをした後のシートを排紙ローラによって途中まで排出させた段階で一旦停止させ、それを今度は逆搬送して第２収納部に高速で収納し、それを所定のタイミングで再び搬送して裏面側に画像を複写することにより、複写速度を低下させずに両面に画像を複写可能にしたものもある。
【０００５】
さらに、特開昭５８−１８２６５５号公報に記載されているもののように、排紙部と切換ゲートとスイッチバック部と返送部と反転部とからなる両面複写補助手段を設け、表面に画像を複写した後のシートを裏面に画像を複写する際にその両面複写補助手段による複写返送速度を増速して、表面複写終了後のシートを速やかに裏面複写可能な所定の返送位置に達するようにすることにより、両面複写の能率を高めるようにしたもの、さらには特開昭６２−１６１６４１号公報に記載されているもののように、両面または多重に画像を形成する際、シートの給紙間隔を、シートの搬送状態または外部手段に応じて調整する搬送制御手段を設けることにより、連続プリント時の１分間当り最高印刷可能数の低下を防止するようにしたものもある。
【０００６】
また、特開平６−３５２６５号公報に記載されている両面ユニットのように、スイッチバック方式による反転経路を複数設けたものもある。ここで、この両面ユニットにおいては、装置本体に装着した状態で、複数の反転経路が装置本体側の搬送路にそれぞれ接続され、その各反転経路の装置本体からのシート受け入れ部とその装置本体へのシート送り出し部のみを共有経路としている。また、複数の反転経路が、それぞれ複数のシート搬送速度でシートを搬送する搬送機構を備え、さらに反転経路を搬送させるシートのサイズに応じてその反転経路内で同時に搬送させるシート枚数を変化させる搬送枚数制御手段を設けている。
【０００７】
【発明が解決しようとする課題】
しかしながら、このような従来の両面ユニットを備えた画像形成装置において、特開昭５８−１８１０６４号公報に記載のものを備えた場合は、シートを一旦返送部にスタックして停止させるため、その停止時間の分だけ処理時間が遅くなってしまい、高速での両面印字ができない。
【０００８】
また、特開昭５７−１４１６５６号公報に記載のものを備えた場合は、スイッチバックの経路が次に連続して搬送されてくるシートと同一の搬送経路を使用しているため、その先行のシートがスイッチバックしている間は次のシートは干渉を避けるために一時停止していなければならないので、やはり高速で両面印字をすることができない。
【０００９】
さらに、特開昭５８−１８２６５５号公報に記載の片面印字後のシートを反転ユニットへ搬送する際の速度を増速するようにしたものを備えた場合、或は特開昭６２−１６１６４１号公報に記載の給紙間隔をシートの搬送状態により調整するようにしたものを備えた場合は、多少のスピードアップは望めても、大幅な処理速度の向上は望めない。
【００１０】
また、特開平６−３５２６５号公報に記載のものを備えた場合は、複数の反転経路を備えているため装置全体が大型化してしまいコストがアップするだけでなく、ユーザにとって使い勝手のよいものとは言えない。
【００１１】
一方、両面原稿の画像をシートの両面に形成する際、両面原稿中に片面原稿が混ざっていた場合、従来はこの片面原稿は両面原稿として見做し、片面が白紙にも関らずプロセス制御を行っていた。このため、その分消費電力がかかり、またユーザにとっては課金カウントがその分上乗せされてしまっていた。
【００１２】
そこで、本発明はこのような現状に鑑みてなされたものであり、装置を大型化することなく高速でシートの両面に画像を形成することのできる画像形成装置を提供することを目的とするものである。また、コストを低減することのできる画像形成装置を提供することを目的とするものである。
【００１３】
【課題を解決するための手段】
本発明は、画像形成部により片面に画像が形成されたシートを反転させて再度、前記画像形成部に搬送して前記シートの裏面に画像を形成する画像形成装置において、前記シートを反転させる反転経路と、前記画像形成部に反転したシートを再度搬送する再搬送路と、前記反転経路と複数箇所で合流し、前記画像形成部により片面に画像が形成されたシートをそれぞれ該反転経路に搬送する複数の反転入り口経路と、前記反転経路から複数箇所で分岐し、該反転経路に搬送されたシートをそれぞれ前記再搬送路に搬送する複数の反転出口経路と、を備えたことを特徴とするものである。
【００１４】
また本発明は、前記複数の反転入り口経路に順次シートを搬送し、前記シートを該複数の反転入り口経路から前記反転経路に搬送された順に前記複数の反転出口経路から前記再搬送路に順次搬送するように制御する制御手段を有することを特徴とするものである。
【００１５】
また本発明は、前記複数の反転入り口経路に順次搬送されたシートを前記複数の反転入り口経路、前記反転経路、前記複数の反転出口経路及び前記再搬送路に順次待機させ、所定のタイミングで前記再搬送路に待機しているシートから順に搬送することを特徴とするものである。
【００１６】
また本発明は、画像形成される前のシートを収納するシート収納部と前記画像形成部との間に設けられ、且つ前記再搬送路が合流するシート搬送路を備え、
前記複数の反転入り口経路、前記反転経路、前記複数の反転出口経路及び前記再搬送路に待機させることが可能な枚数のシートが前記シート搬送路の前記再搬送路との合流部よりも下流側に搬送された後、前記再搬送路に待機しているシートを前記シート搬送路に搬送することを特徴とするものである。
【００１７】
また本発明は、前記再搬送路に待機しているシートを前記シート搬送路に搬送した後、次の待機シートを前記シート搬送路に搬送する前に前記シート収納部に収納されたシートを前記シート搬送路に搬送し、前記画像形成される前のシートと前記待機シートとを交互に搬送するようにしたことを特徴とするものである。
【００１８】
また本発明は、前記片面に画像が形成されたシートを反転させて排出する排出通路を備え、前記シートを反転排出する場合は、前記複数の反転入り口経路のうちの所定の反転入り口経路と前記反転経路とにより前記シートを反転させる反転排出通路を形成し、前記反転排出通路から反転したシートを前記排出通路に向わせるようにしたことを特徴とするものである。
【００１９】
また本発明は、前記反転排出通路は、前記排出通路に最も近い反転入り口経路を使用することを特徴とするものである。
【００２０】
また本発明は、前記片面に画像が形成されたシートを選択的に前記所定の反転入り口経路に搬送するよう該シートの前又は後に少なくともシート１枚分の空間を設けるようにしたことを特徴とするものである。
【００２１】
また本発明は、画像形成される前のシートを収納するシート収納部と前記画像形成部との間に設けられ、且つ前記再搬送路が合流するシート搬送路を備え、前記片面に画像が形成されたシートの反転排出が終了した後、前記反転排出したシート枚数と同数のシートを前記シート搬送路に搬送するようにしたことを特徴とするものである。
【００２２】
また本発明は、前記シートの搬送方向の長さに応じて搬送するシートの間隔を変更するようにしたことを特徴とするものである。
【００２３】
【発明の実施の形態】
以下、本発明の実施形態を図面を用いて説明する。
【００２４】
図１は、本発明の実施の形態に係る画像形成装置の一例である複写機の全体構成図である。
【００２５】
同図において、１００は複写機であり、この複写機１００は画像形成部１０５を備えたプリンタ部１０１と、画像読み取り部１０２とを有している。また、この複写機１００は画像読み取り部１０２の上方に自動原稿給送装置１０３を備えており、この自動原稿給送装置１０３により、画像読み取り部１０２上のプラテンガラス１０２ａには不図示の原稿が自動的に給送され、この原稿を画像読み取り部１０２により走査して、ＣＣＤカメラ１０２ｂからのデジタル情報を不図示の記憶装置に潜像データとして記憶させるようにしている。
【００２６】
さらに、複写機１００は、この潜像データに基づきスキャナ部１０４により、画像形成部１０５の感光ドラム１０６に潜像を形成した後、トナーを用いて現像することにより、感光ドラム１０６にトナー像を形成するようにしている。
【００２７】
一方、１１３Ａ，１１３Ｂ，１１３Ｃ，１１３Ｄは、プリンタ部１０１内に配設され、多数枚のシートをそれぞれ収納するシート収納部である給紙カセットであり、これら各給紙カセット１１３Ａ，１１３Ｂ，１１３Ｃ，１１３Ｄに収納されたシートは、それぞれ給紙部１１１Ｅ，１１１Ｆ，１１１Ｇ，１１１Ｈにより１枚ずつ給紙された後、シート搬送路である搬送パス１１５ａ，１１５ｂを通りレジスト導入部１１６に所定のタイミングで搬送されるようになっている。
【００２８】
ここで、このレジスト導入部１１６にはレジストローラ１１７が設けられており、シートは、このレジストローラ１１７により斜行が矯正された後、所定のタイミングで転写分離帯電器１１８に搬送され、この転写分離帯電器１１８によって感光ドラム１０６からトナー像が転写されるようになっている。
【００２９】
また、１０７はトナー像が転写されたシートを定着部１０８に搬送する搬送部であり、搬送部１０７により搬送されたシートは、定着部１０８の定着ローラ１１９によってトナー像が定着される。なお、トナー像が定着された後、シートは、第１排出パス１０８Ａに設けられた排紙フラッパ１１０Ａ，１１０Ｂにより、排紙トレイ１０９又は反転入り口経路１１１Ａ，１１１Ｂに振り分けられる。
【００３０】
ここで、この排紙フラッパ１１０Ａ，１１０Ｂは、後述する図２に示す制御装置８０により制御されてシートＰの片面のみに画像を形成する片面コピーの場合は排紙トレイ１０９側に切り換わり、シートの両面に画像を形成する両面コピー、或は片面に複数回画像を形成する多重コピーを行う場合には両面ユニット１０１Ａ側に切り換わるようになっている。
【００３１】
図２は、例えば両面コピー時には片面に画像が形成されたシートを反転させ、この裏表反転したシートを再度、画像形成部１０５へ搬送する両面ユニット１０１Ａの構成を示す図である。
【００３２】
ここで、同図に示すように、両面ユニット１０１ＡはローラＲ６１、Ｒ６２を備えた第１反転入り口経路１１１Ａと、ローラＲ６、Ｒ７を備えた第２反転入り口経路１１１Ｂと、表裏反転したシートを再度画像形成部１０５へ搬送する再搬送ローラＲ８，Ｒ９を備えた再搬送路である両面搬送通路１２１を備えている。
【００３３】
また、第１及び第２反転入り口経路１１１Ａ、１１１Ｂが合流し、かつローラＲ２を備えた第１反転経路１１２Ａ及びローラＲ１を備えた第２反転経路１１２Ｂよりなり、第１及び第２反転入り口経路１１１Ａ，１１１Ｂから搬送されたシートを反転する反転経路１１２と、反転経路１１２から分岐し、シートを両面搬送通路１２１へ搬送するためのローラＲ４，Ｒ５を備えた第１反転出口経路１２０Ａ及びローラＲ３を備えた第２反転出口経路１２０Ｂとを備えている。
【００３４】
さらに、選択的にシートを第２反転経路１１２Ｂから第２反転出口経路１２０Ｂに導入させる第１及び第２フラッパ１１４Ａ，１１４Ｂと、選択的にシートを第１反転経路１１２Ａから第１反転出口経路１２０Ａ、或は第２排紙パス１０８Ｂに導入させる第３及び第４フラッパ１１４Ｃ，１１４Ｄとを備えている。
【００３５】
また、第１反転入り口経路１１１Ａには第４センサＳ４が、第２反転入り口経路１１１Ｂには第７センサＳ７が、両面搬送通路１２１には第８センサＳ８が、第１反転出口経路１２０Ａには第６センサＳ６が、第２反転出口経路１２０Ｂには第５センサＳ５が、第１反転経路１１２Ａには第３センサＳ３が、第２反転経路１１２Ｂには第２センサＳ２がそれぞれ設けられている。なお、本実施の形態において、これら各センサとして反射型のフォトセンサを用いている。
【００３６】
ここで、ローラＲ６２は第１反転入り口経路１１１Ａから第１反転経路１１２Ａにシートを搬送するための搬送力と、第１反転経路１１２Ａから第１反転出口経路１２０Ａにシートを搬送するための搬送力を同時に与えられるようなローラ構成を有している。
【００３７】
即ち、ローラＲ６２は、駆動ローラ６２ａと、この駆動ローラ６２ａにそれぞれ当接し、駆動ローラ６２ａが矢印方向に回転すると、これに伴い矢印方向に回転する従動ローラ６２ｂ，６２ｃとを備えており、これにより第１反転入り口経路１１１Ａから第１反転経路１１２Ａにシートを搬送するための搬送力と、第１反転経路１１２Ａから第１反転出口経路１２０Ａにシートを搬送するための搬送力を同時に与えられるようになっている。
【００３８】
なお、図２において、８０は制御装置であり、この制御装置８０による制御により、各ローラＲ１〜Ｒ９，Ｒ６１，Ｒ６２、排紙フラッパ１１０Ａ，１１０Ｂ及び第１〜第４フラッパ１１４Ａ〜１１４Ｄは正逆転駆動、または揺動されるようになっている。なお、Ｓ１はシートが定着ローラ１１９を通過したことを検知する第１センサである。
【００３９】
次に、このように構成された両面ユニット１０１Ａにおける制御装置８０による片面に画像が形成されたシートの画像形成部１０５への再給紙制御動作を説明する。
【００４０】
まず始めに、片面に画像が形成された例えばショートサイズのシートを反転させて画像形成部１０５に搬送する両面搬送動作について説明する。
【００４１】
シートの両面搬送を行う場合、同図に示すように所定の間隔を設けてシートが搬送されると、まず片面に画像が形成された先頭紙である第１シート１が定着ローラ１１９を通過したことを第１センサＳ１によって検知すると、制御装置８０は、第１及び第２排紙フラッパ１１０Ａ，１１０Ｂを切換え、以後シートを第１及び反転入り口経路１１１Ａ，１１１Ｂにそれぞれ振り分ける。
【００４２】
なお、本実施の形態においては、２ｎ＋１（ｎは０以上の整数）番目のシートは第２反転入り口経路１１１Ｂに、また２ｎ＋２番目のシートは第１反転入り口経路１１１Ａに搬送するように第１及び第２排紙フラッパ１１０Ａ，１１０Ｂを制御する。
【００４３】
これにより、まず第１シート１は、図３の（ａ）に示すように第２反転入り口経路１１１Ｂに搬送され、このシート１の先端を第７センサＳ７が検知すると、制御装置８０は下流の第２反転経路１１２Ｂにおける先行シートの有無を確認する。ここで、この場合は、先行シートが存在しないので、そのまま第１シート１を第２反転経路１１２Ｂに向け搬送する。
【００４４】
一方、このように第１シート１が第２反転経路１１２Ｂに搬送されるようになり、この後、第１センサＳ１によって後続シートである第２シート２が定着ローラ１１９を通過したことを検知すると、制御装置８０は、第１及び第２排紙フラッパ１１０Ａ，１１０Ｂを切換え、第２シート２を第１反転入り口経路１１１Ａに搬送する。なお、この後、第３シート３、第４シート４もそれぞれ搬送される。
【００４５】
次に、図３の（ｂ）に示すように、第１シート１が第２反転経路１１２Ｂに搬送され、第２反転経路１１２Ｂにある第２センサＳ２が第１シート１の通過を検知すると、ローラＲ１の正転（搬送）方向への駆動を停止して第１シート１の搬送を停止させる。ここで、本実施の形態において、各ローラの駆動源としてステッピングモータを用いており、ステッピングモータの脱調を防ぐためモータ固有振動が安定するまで所定時間停止させる。
【００４６】
次に、所定時間が経過した後、ローラＲ１を逆転駆動し、第１シート１を搬送する。そして、この後、第２センサＳ２が再び第１シート１を検知すると、第２反転出口経路１２０Ｂに第１シート１を搬送するように第１及び第２フラッパ１１４Ａ，１１４Ｂを制御する。
【００４７】
一方、第１反転入り口経路１１１Ａに搬送された第２シート２の先端を第４センサＳ４が検知すると、制御装置８０は下流の第１反転経路１１２Ａにおける先行シートの有無を確認する。この場合、先行シートは存在しないので、そのまま搬送を行う。
【００４８】
これにより、図３の（ｃ）に示すように、第１シート１は第２反転出口経路１２０Ｂに搬送され、第２シート２は第１反転経路１１２Ａに搬送される。そして、この後、第５センサＳ５によって第１シート１が検知されると、ローラＲ３を停止し、第１シート１の搬送を一時停止する。そして、給紙カセット１１３Ａ，１１３Ｂ，１１３Ｃ，１１３Ｄ（図１参照）のいずれかから給紙搬送されてきた第６シート６の更に後続シートである不図示の第７シートの後に第１シート１の両面搬送経路１２１から再給紙を行うタイミングに合わせて、ローラＲ３の駆動を制御して第１シート１の搬送を再開する。
【００４９】
また、第３センサＳ３が第２シート２の通過を検知するとローラＲ２を停止し、この後ローラＲ２を逆転駆動させることで第２シート２を逆方向に搬送する。そして、再び第３センサＳ３が第２シート２の通過を検知すると、第１反転出口経路１２０Ａに第２シート２を搬送するよう第３及び第４フラッパ１１４Ｃ，１１４Ｄを制御する。
【００５０】
一方、このような第１及び第２シート１，２の搬送動作に並行して排紙フラッパ１１０Ａ，１１０Ｂを制御し、２ｎ＋１番目のシートとなる第３シート３を第２反転入り口経路１１１Ｂに搬送する。そして、この後、第２反転入り口経路１１１Ｂを搬送された第３シート３の先端を第７センサＳ７が検知すると、第２反転経路１１２Ｂにおける先行シートの有無を確認する。この場合、先行シートが存在しないので、そのまま第３シート３を搬送する。後続シートについても同様に制御する。
【００５１】
次に、図４の（ａ）に示すように、搬送を再開された第１シート１は両面搬送経路１２１に搬送される。ここで、第１シート１は既述したように、第７シート７の後に両面搬送経路１２１からの再給紙を行うタイミングで搬送されている。なお、本実施の形態において、第１及び第２反転入り口経路１１１Ａ，１１１Ｂ、第１及び第２反転経路１１２Ａ，１１２Ｂ、第１及び第２反転出口経路１２０Ａ，１２０Ｂ及び両面搬送経路１２１に待機させることが可能な枚数は５枚となっており、このため後述する図４の（ｃ）に示すように第６シート６が第１反転入り口経路１１１Ａに搬送された際、第１シート１が搬送パス１１５ａに搬送されるようになっている。
【００５２】
ここで、このように第１シート１を搬送パス１１５ａに搬送した際、第６シート６との間隔が広くなり過ぎるので、本実施の形態においては、第６シート６の後に第７シート７を搬送し、この後、第１シート１を搬送するようにしている。これにより、モータを加速することなく所定のシート間隔でシートを搬送することが可能となる。なお、同様に、以後、例えば第８シートの後に第２シート２を、第９シートの後に第３シート３、・・・というようにシートを搬送するようにする。
【００５３】
一方、第１反転出口経路１２０Ａにおいて、第２シート２を第６センサＳ６が検知すると、ローラＲ４，Ｒ５の駆動を一時停止する。そして、この後、両面搬送経路１２１から再給紙される第１シート１の後に給紙される不図示の第８シートの後に再給紙されるタイミングに合わせて、ローラＲ４，Ｒ５の駆動を制御して第２シート２の搬送を再開する。後続シートについても同様に制御する。
【００５４】
次に、図４の（ｂ）に示すように、第１シート１は給紙カセット１１３Ａ，１１３Ｂ，１１３Ｃ，１１３Ｄのいずれかから給紙された第７シート７の後に搬送パス１１５ａに搬送される。なお、同図では、第７シート７は給紙カセット１１３Ａ，１１３Ｃ，１１３Ｄのいずれかから給紙されている。
【００５５】
また、このとき第８シートは、まだ搬送されてきていないので第２シート２を停止状態としている。一方、第３シート３については、第２反転経路１１２Ｂから第１及び第２フラッパ１１４Ａ，１１４Ｂを制御することによって第２反転出口経路１２０Ｂに搬送する。この際、第５センサＳ５によって第３シート３の先端が検知されると、先行シートである第２シート２が、まだ第１反転出口経路１２０Ａで待機しているので、第３シート３も待機させるようローラＲ３の駆動を一時停止する。
【００５６】
また、第４シート４は、第１反転入り口経路１１１Ａから搬送されて第１反転経路１１２Ａに到達する。この際、シート後端を第３センサＳ３が検知すると第１反転出口経路１２０Ａに第４シート４を搬送するため、第３及び第４フラッパ１１４Ｃ，１１４Ｄを制御する。しかし、このとき第１反転出口経路１２０Ａには先行シートである第２シート２が待機しているので、第４シート４も第１反転経路１１２Ａで待機させるようローラＲ２の駆動を一時停止する。後続シートについても同様に制御する。
【００５７】
次に、同図の（ｃ）に示すように、第１シート１がすでにレジスト導入部１１６のレジストローラ１１７を通過し、後続シートである第８シート８も搬送パス１１５ａに搬送されると、このとき第２シート２は既述したとおり第８シート８の後に搬送パス１１５ａに再給紙されるタイミングに合わせてすでに第１反転出口経路１２０Ａから両面搬送経路１２１に搬送されている。
【００５８】
また、これに合わせて第４シート４は反転経路出口１２０Ａに搬送され、第６センサＳ６によって先端を検知されるが、このとき第２反転出口経路１２０Ｂに先行シートである第３シート３が待機しているのでローラＲ４，Ｒ５の駆動を停止して第４シート４の搬送を一時停止する。第５シート５に関しても同様に下流の第２反転出口経路１２０Ｂが塞がっているので第２反転経路１１２Ｂで待機させる。後続シートについても同様に制御する。
【００５９】
次に図５の（ａ）に示すように、第１シート１が定着ローラ１１９を抜け、第１センサＳ１に到着し、これを第１センサＳ１が検知すると、第１排紙パス１０８Ａに第１シート１を搬送するように排紙フラッパ１１０Ａ，１１０Ｂを制御する。
【００６０】
一方、第２シート２は給紙カセット１１３Ａ，１１３Ｂ，１１３Ｃ，１１３Ｄの、いずれかから給紙された第８シート８の後に搬送パス１１５ａに搬送される。また、第３シート３については依然として停止状態にあり、第４シート４は第２反転出口経路１２０Ｂに第３シート３が待機しているので待機状態となっている。さらに、第５及び第６シート５，６は先行シートが下流に残っているため待機状態となっている。
【００６１】
ところで、このとき第７シート７は、第２反転入り口経路１１１Ｂに搬送されており、この第７シート７の先端を第７センサＳ７が検出すると、第２反転経路１１２Ｂに先行シートがあるか、もしくはローラＲ１が第７シート７の搬送方向とは逆の方向に回転している場合、ローラＲ６，Ｒ７の駆動を停止して第７シート７の搬送を一時停止する。後続シートについても同様の制御を行う。
【００６２】
この後、図５の（ｂ）に示すように、第１シート１は排出パス１０８Ａに搬送され、機外に排紙される。また、第２シート２は先行シートの第１シート１と同様の搬送が行われ、第３シート３は第９シート９の後に搬送パス１１５ａに再給紙されるタイミングに合わせて、すでに第２反転出口経路１２０Ｂから両面搬送経路１２１に搬送されている。
【００６３】
なお、これに伴い第５シート５を反転経路出口１２０Ｂに搬送し、第５センサＳ５がシート先端を検知すると、第１反転出口経路１２０Ａに先行シートである第４シート４が待機しているのでローラＲ３の駆動を停止して第５シート５の搬送を一時停止する。後続シートにおいても同様の制御を行う。
【００６４】
次に、図６の（ａ）に示すように、第２シート２は定着ローラ１１９を通過する。そして、この際、第１センサＳ１が先端を検知すると、第２シート２を第１排紙パス１０８Ａに搬送するよう排紙フラッパ１１０Ａ，１１０Ｂを制御する。また、第３シート３を給紙カセット１１３Ａ，１１３Ｂ，１１３Ｃ，１１３Ｄのいずれかから給紙された第９シート９の後に搬送パス１１５ａに搬送する。
【００６５】
さらに、第４センサＳ４が第８シート８を検知すると、下流の第１反転経路１１２Ａには第６シート６があることがわかっているのでローラＲ６の駆動を停止し、第８シート８の搬送を一時停止する。後続シートにおいても同様に制御する。
【００６６】
この後、図６の（ｂ）に示すように第２シート２を第１排出パス１０８Ａに搬送し、機外に排紙する。また、第３シート３を先行シートの第２シート２と同様に搬送し、第４シート４を第１０シート１０の後に搬送パス１１５ａに再給紙されるタイミングに合わせて両面搬送経路１２１に搬送する。なお、同図は、第４シート４はすでに第１反転出口経路１２０Ａから両面搬送経路１２１に搬送された状態を示している。
【００６７】
これと同時に第６シート６を第１反転出口経路１２０Ａに搬送し、この第６シート６の先端を第６センサＳ６が検知すると、第２反転出口経路１２０Ｂに先行シートである第５シート５が待機しているので、ローラＲ５の駆動を停止して第６シート６の搬送を一時停止する。後続シートにおいても同様に制御する。なお、この後のシートの両面搬送のシーケンスは図２から図６を繰り返し行う。
【００６８】
このように、反転経路１１２（第１及び第２反転経路１１２Ａ，１１２Ｂ）に対してそれぞれ複数２つの反転入り口経路１１１Ａ，１１１Ｂと反転搬送出口経路１２０Ａ，１２０Ｂを設けることにより、ショートサイズのシート搬送において、シートを待機させるポイントを最大で６箇所確保することができる。
【００６９】
ここで、このように待機ポイントを最大で６箇所確保することにより、順次第１及び第２反転入り口経路１１１Ａ，１１１Ｂに搬送されたシートを、第１及び第２反転入り口経路１１１Ａ，１１１Ｂ、第１及び第２反転出口経路１２０Ａ，１２０Ｂ及び両面搬送通路１２１に順次待機させことができる。
【００７０】
そして、このようにシートを順次待機させることにより、所定のタイミング、即ち第１及び第２反転入り口経路１１１Ａ，１１１Ｂに順次搬送されたシート間隔と、レジスト導入部１１６に搬送されるシート間隔とが同じになるようなタイミングで、両面搬送通路１２１に待機しているシートから順に、レジスト導入部１１６に搬送された順序で再搬送を行うことができる。これにより、一定の間隔でシートを搬送することができ、高速でシートの両面に画像を形成することが可能となる。
【００７１】
更に、既述したように例えば、第７シート７の後に反転した第１シート１を搬送し、第８シート７の後に反転した第２シートを搬送し、以下同様にシートを搬送し、やがて第７シート７を反転させてレジスト導入部１１６（搬送パス１１５ａ）に搬送するまで、モータの加速を行うことなく最大で１３枚を循環して搬送することができる。
【００７２】
これにより、高速でシートの両面に画像を形成することができる複写機本体を小型化することができると共に、加速を行うことがないのでモータの駆動に関して余裕のある制御を行うことができる。また、反転処理を分散させることができるので、駆動に使用しているモータの使用頻度が減少することになり、部品寿命を延ばすことができる。さらに、レジスト導入部１１６に対して循環して搬送する最初のシートから最後のシートまで所定の間隔で搬送することができるので、１００％の両面搬送のパフォーマンスを実現することができる。
【００７３】
また、これまでの説明においては、反転入り口経路、反転経路及び反転出口経路をそれぞれ２つずつ設けた複写機について述べてきたが、本発明は、これに限らずと、反転入り口経路、反転経路及び反転出口経路を３つ以上設けるようにしても良い。
【００７４】
ところで、既述したように両面原稿中に片面原稿が混ざっていた場合、従来は片面原稿を両面原稿として見做し、片面が白紙にも関らずプロセス制御を行っていたが、本発明においては、このように両面原稿中に片面原稿が混ざっていた場合は、両面搬送中においても、該当する片面原稿に対応するシートは画像形成部１０５に再給紙することなく、そのまま反転させて排出するようにしている。
【００７５】
そして、このようにシートの両面搬送中でも、シートを反転させて排出する反転搬送ジョブを行うことにより、消費電力を低減することができると共に、課金カウントの上乗せもなくなるのでユーザコストを低減することができる。
【００７６】
次に、このようなシートの両面搬送時における反転搬送ジョブの制御について説明する。
【００７７】
なお、本実施の形態において、反転搬送ジョブを行う場合には、反転排紙を行うシートの後にシート１枚分空けるようにしている。図７は、このような反転搬送ジョブを行う場合のレジスト導入部１１６への搬送順番を示した図である。
【００７８】
ここで、同図において、Ａは片面の画像形成を既に行っていて両面ユニット１０１Ａから再給紙されたシートである両面シートを表し、Ｂは反転排紙を行うシートである反転シートを表し、Ｃは給紙カセットから給紙されたばかりのシートである給紙シートを表している。
【００７９】
そして、同図に示すように両面シートＡ１の後で反転シートＢ１〜Ｂｎを排紙する場合、レジスト導入部１１６にシートを送る順序としては、両面シートＡ１の先行シートである両面シートＡ０がレジスト導入部１１６に搬送された後にシート１枚分空けるようにする。
【００８０】
次に両面シートＡ１、次に反転シートＢ１、シート１枚分空けて、反転シートＢ２、シート１枚分空けて、これを繰り返して最後に反転シートＢｎ、この後、シート２枚分空けて両面シートＡ２、この後シート３枚分給紙カセットから給紙され、両面シートＡ３という順番になる。
【００８１】
次に、このようなシートの流れを説明する。なお、実際のシートの流れとしては、図５の（ａ）の状態で第３シート３の後から反転排紙を３枚分行ってから再び両面搬送に戻る場合について説明する。なお、この場合、図５の（ｂ）では第２シート２を両面搬送経路１２１から搬送パス１１５ａに搬送した後、第９シート９が給紙カセット１１３Ａ，１１３Ｂ，１１３Ｃ，１１３Ｄのいずれかから給紙されていたが、この場合、図８の（ａ）のようにシート１枚分間隔を空けるようにする。
【００８２】
そして、この場合、第３シート３を、シート１枚分空けている後に搬送パス１１５ａに再給紙されるタイミングに合わせて第２反転出口経路１２０Ｂから両面搬送経路１２１に搬送するようにする。なお、第４〜第６シート４〜６については下流である搬送経路にそれぞれシートが待機しているのでそのまま待機させておく。
【００８３】
また、第７シート７については下流の第２反転経路１１２Ｂが空いているので第２反転入り口経路１１１Ｂから搬送し、第８シート８については定着ローラ１０９を抜けた後、第１センサＳ１がシート先端を検知すると、後に搬送されてくる反転シートの反転搬送を第１及び第２反転入り口経路１１１Ａ，１１１Ｂの一方、本実施の形態においては第１反転入り口経路１１１Ａにおいて行うため、第８シート８を第２反転入り口経路１１１Ｂに搬送するように排紙フラッパ１１０Ａ，１１０Ｂを制御する。
【００８４】
これにより、図８の（ｂ）に示すように第８シート８は第２反転入り口経路１１１Ｂに搬送され、第３シート３は両面搬送経路１２１から第２シート２の後のシート１枚分を空けた後に搬送パス１１５ａに搬送される。なお、第４〜第６シート４〜６については依然停止状態とする。また、第２反転経路１１２Ｂ上の第２センサＳ２が第７シート７の後端を検知すると、ローラＲ１の駆動を停止して第７シート７の搬送を一時停止する。
【００８５】
さらに、第２反転入り口経路１１１Ｂにある第７センサＳ７が第８シート８の先端を検知すると、下流の第２反転経路１１２Ｂに第７シート７があることがわかっているので、ローラＲ６，Ｒ７の駆動を停止し、第８シート８の搬送を一時停止する。一方、第１センサＳ１が第２シート２の先端を検知すると、第２シート２を機外に排紙するため排紙フラッパ１１０Ａ，１１０Ｂを制御する。
【００８６】
これにより、図８の（ｃ）に示すように第２シート２は第１排紙パス１０８Ａを通り機外に排紙される。一方、レジスト導入部１１６に到達した第３シート３の後には反転第１シート反１が搬送パス１１５ａに搬送されてくる。なお、両面搬送経路１２１上にある第８センサＳ８が第４シート４の先端を検知すると、ローラＲ８，Ｒ９の駆動を停止し、第４シート４の搬送を一時停止する。
【００８７】
また、これと同時に第６シート６を第１反転経路１１２Ａから第１反転出口経路１２０Ａに搬送し、この第６シート６の先端を第６センサＳ６が検知すると、下流の両面搬送経路１２１に第４シート４があるのでローラＲ４，Ｒ５の駆動を停止し、第６シート６の搬送を一時停止する。
【００８８】
そして、このようにすることで反転排紙に必要な反転入り口経路１１１Ａ、第１反転経路１１２Ａ及び第２排紙パス１０８Ｂを確保することができる。なお、第５シート５、第７シート７及び第８シート８については依然待機を続ける。
【００８９】
次に、図９の（ａ）に示すように、第３シート３の先端を第１センサＳ１が検知すると、第３シート３を機外に排紙するため第１排紙パス１０８Ａに第３シート３を搬送するように排紙フラッパ１１０Ａ，１１０Ｂを制御する。なお、第４〜第８シート４〜８は待機しておく。また、反転第１シート反１の後続にはシート一枚分を空けるようにする。
【００９０】
次に、図９の（ｂ）に示すように第３シート３は第１排紙パス１０８Ａに搬送される。一方、反転第１シート反１の先端を第１センサＳ１が検知すると、反転第１シート反１を反転入り口経路１１１Ａに搬送するように排紙フラッパ１１０Ａ，１１０Ｂを制御する。また、反転第１シート反１からシート１枚分空けてから給紙された反転第２シート反２が反転パス１１５ａに搬送される。なお、第４〜第８シート４〜８は依然待機を続ける。
【００９１】
次に、図９の（ｃ）に示すように、反転入り口経路１１１Ａに搬送された反転第１シート反１の先端を第４センサＳ４が検知すると、下流の第１反転経路１１２Ａに先行シートが無いことがわかっているのでそのまま搬送を行う。また反転第２シート反２の後はシート１枚分空けておく。なお、第４〜第８シート４〜８は依然待機を続ける。
【００９２】
次に、図１０の（ａ）に示すように、反転第１シート反１の先端を第１反転経路１１２Ａ上にある第３センサＳ３が検知すると、ローラＲ２の駆動を停止して反転第１シート反１の搬送を一時停止し、ステッピングモータのモータ固有振動が安定するまで所定時間停止した後、ローラＲ２を逆方向に駆動する。そして、この後、再度第３センサＳ３によってシート先端が検知されると、反転第１シート反１を第２排紙パス１０８Ｂに搬送するため第３及び第４フラッパ１１４Ｃ，１１４Ｄを制御する。
【００９３】
なお、反転第１シート反１と同様に、第１センサＳ１が反転第２シート反２の先端を検知すると、反転第２シート反２を反転入り口経路１１１Ａに搬送するように第１及び第２フラッパ１１０Ａ，１１０Ｂを制御する。また、反転第３シート反３は反転第２シート反２からシート１枚分を空けてから給紙カセット１１３Ａ，１１３Ｂ，１１３Ｃ，１１３Ｄのいずれかから給紙され、搬送パス１１５ａに搬送される。なお、第４〜第８シート４〜８は依然待機を続ける。
【００９４】
この後、反転第１シート反１は図１０の（ｂ）に示すように第２排紙パス１０８Ｂを通って機外に排紙される。また、反転入り口経路１１１Ａに搬送された反転第２シート反２の先端を第４センサＳ４が検知すると、下流の第１反転経路１１２Ａに先行シートが無いことがわかっているのでそのまま搬送を行う。
【００９５】
ここで、このように反転シート３枚が全て給紙されたが、すぐに給紙カセット１１３Ａ，１１３Ｂ，１１３Ｃ，１１３Ｄのいずれかからの給紙、もしくは両面搬送経路１２１からの再給紙は行わない。また、第４〜第８シート４〜８は依然待機を続ける。
【００９６】
次に、図１０の（ｃ）に示すように、反転第２シート反２の後端を第１反転経路１１２Ａ上にある第３センサＳ３が検知すると、ローラＲ２の駆動を停止して反転第２シート反２の搬送を一時停止し、所定時間経過後、ローラＲ２を逆転する。そして、この後、再度第３センサＳ３が反転第２シート反２の先端を検知すると、反転第２シート反２を第２排紙パス１０８Ｂに搬送するために第３及び第４フラッパ１１４Ｃ，１１４Ｄを制御する。
【００９７】
なお、反転第３シート反３は、反転第１及び第２シート反１，反２と同様に、第１センサＳ１が先端を検知すると反転入り口経路１１１Ａに搬送されるように、フラッパ１１０Ａ、１１０Ｂが制御される。このときも、やはり、給紙カセット１１３Ａ，１１３Ｂ，１１３Ｃ，１１３Ｄのいずれかからの給紙、もしくは両面搬送経路１２１からの再給紙は行わない。
【００９８】
この後、反転第２シート反２は図１１の（ａ）に示すように、第２排紙パス１０８Ｂを通って機外に排紙される。なお、反転入り口経路１１１Ａに搬送された反転第３シート反３の先端を第４センサＳ４が検知すると、下流の第１反転経路１１２Ａに先行シートが無いことがわかっているのでそのまま搬送を行う。また第４シート４については、反転シートの最終紙である反転第３シート反３が給紙されてからシート２枚分空けた後に搬送できるようにタイミングを計って両面搬送経路１２１から搬送パス１１５ａに搬送する。
【００９９】
次に、図１１の（ｂ）に示すように、反転第３シート反３の後端を第１反転経路１１２Ａ上にある第３センサＳ３が検知すると、ローラＲ２の駆動を停止して反転第３シート３の搬送を一時停止する。そして、所定時間経過後、ローラＲ２の逆転駆動により逆送された反転第３シート反３の先端を第３センサＳ３が検知すると、反転第３シート反３を第２排紙パス１０８Ｂに搬送するために第３及び第４フラッパ１１４Ｃ，１１４Ｄを制御する。
【０１００】
なお、第９シート９は両面搬送経路１２１から再給紙された第４シート４の後に搬送されるように、給紙カセット１１３Ａ，１１３Ｂ，１１３Ｃ，１１３Ｄのいずれかから給紙され、搬送パス１１５ａを搬送される。この後、反転第１〜第３シート反１〜反３を反転させる際、複写機１００の本体内部に生じた反転シートの枚数である３枚分の空間を埋めるために、給紙カセット１１３Ａ，１１３Ｂ，１１３Ｃ，１１３Ｄのいずれかからシートが第９シート９を含め、３枚分給紙される。
【０１０１】
なお、第５シート５については、下流の両面搬送経路１２１に先行シートがないので第９〜第１１シート９〜１１の後に搬送されるように両面搬送経路１２１に搬送する。この後、両面搬送経路１２１上にある第８センサＳ８がシート先端を検知すると、ローラＲ８，Ｒ９の駆動を停止して第５シート５の搬送を一時停止する。
【０１０２】
これと同時に、第７シート７を第２反転経路１１２Ｂから第２反転出口経路１２０Ｂに搬送する。この際、第５センサＳ５がシート先端を検知すると、第１反転出口経路１２０Ａに第６シート６が待機しているので、ローラＲ３の駆動を停止し、第７シート７の搬送を一時停止する。
【０１０３】
この後、図１１の（ｃ）に示すように反転第３シート反３は第２排紙パス１０８Ｂを通って機外に排紙される。また、第４シート４の先端を第１センサＳ１が検知すると、第４シート４を第１排紙パス１０８Ａから機外に排紙するために排紙フラッパ１１０Ａ，１１０Ｂを制御する。なお、第６及び第７シート６，７はそのまま待機しておく。
【０１０４】
また、第８シート８については、下流の第２反転経路１１２Ｂに先行シートが無くなり、第１ローラＲ１の駆動も終了したので搬送を開始し、この後、第２センサＳ２がシート後端を検知すると、ローラＲ１の駆動を停止する。第１０シート１０においては既述したように、給紙カセット１１３Ａ，１１３Ｂ，１１３Ｃ，１１３Ｄのいずれかから給紙され、搬送パス１１５ａに搬送される。
【０１０５】
次に、図１２の（ａ）に示すように、第４シート４は第１排紙パス１０８Ａを通って機外に排紙される。また、第５〜第７シート５〜７は依然停止状態にしておく。なお、第８シート８においては、反転排紙を行うために２ｎ番目のシートにもかかわらず第２反転入り口経路１１１Ｂから第２反転経路１１２Ｂに搬送していたが、第２反転経路１１２Ｂから第１反転経路１１２Ａに搬送するようにフラッパ１１４Ａ、１１４Ｂを制御する。
【０１０６】
そして、この後、第１反転経路１１２Ａに搬送されてから第８シート８の先端を第３センサＳ３が検知すると、下流の第１反転出口経路１２０Ａに搬送するため、第３及び第４フラッパ１１４Ｃ，１１４Ｄを制御する。
【０１０７】
しかし、このとき第１反転出口経路１２０Ａには先行シートが存在するのでローラＲ２の駆動を停止し、第８シート８の搬送を一時停止する。また、第１センサＳ１が第９シート９の先端を検知すると、第２反転入り口経路１１１Ｂに搬送するために排紙フラッパ１１０Ａ，１１０Ｂを制御する。さらに、第１１シート１１は既述したように、給紙カセット１１３Ａ，１１３Ｂ，１１３Ｃ，１１３Ｄのいずれかから給紙され搬送パス１１５ａに搬送される。
【０１０８】
次に、図１２の（ｂ）に示すように、第５シート５は給紙カセット１１３Ａ，１１３Ｂ，１１３Ｃ，１１３Ｄのいずれかから給紙された第１１シート１１の後に搬送パス１１５ａに搬送される。第６〜第８シート６〜８は依然待機とする。
【０１０９】
また、第２反転入り口経路１１１Ｂを搬送された第９シート９の先端を第７センサＳ７が検知すると、下流の第２反転経路１１２Ｂに先行シートの有無を確認し、この場合先行シートが存在しないことを確認するので、そのまま第９シート９を搬送する。なお、第１０シート１０については、第１センサＳ１がシート先端を検知すると、反転入り口経路１１１Ａに搬送するために排紙フラッパ１１０Ａ，１１０Ｂを制御する。
【０１１０】
次からのシートの両面搬送のシーケンスは図４の（ｃ）から始まり図６の（ｂ）まで進んだ後、また図４の（ｃ）から図６の（ｂ）までを繰り返し行う。
【０１１１】
このように、両面搬送中に第１及び第２反転入り口経路１１１Ａ，１１１Ｂのうちの１つ、本実施の形態においては第２排紙パス１０８Ｂに近い第１反転入り口経路１１１Ａ及び第１反転経路１１２Ａにおける両面搬送ジョブのための使用を禁止して、第１反転入り口経路１１１Ａと第１反転経路１１２Ａとによりシートを反転して第２排紙パス１０８Ｂに向わせる反転排出経路を形成すると共に、複写機本体内部の待機ポイントにおいて両面搬送シートを待機させることで、両面搬送の際でも第１反転入り口経路１１１Ａ及び第１反転経路１１２Ａを使用して反転シートを排紙することができる。
【０１１２】
これにより、シートの両面搬送中に反転搬送ジョブを行うことができるようになり、高い生産性が実現できる。さらに、このように片面原稿に対応するシートを画像形成部１０５に再給紙することなく、そのまま反転させて排出するようにすることにより、省エネを図ることができ、かつコストを低減することができる。
【０１１３】
なお、これまでの説明においては、第２排紙パス１０８Ｂに近い第１反転入り口経路１１１Ａ及び第１反転経路１１２Ａにより反転排出経路を形成する場合について述べてきたが、第２反転入り口経路１１１Ｂ及び第２反転経路１１２Ｂにより反転排出経路を形成するようにしても良い。ここで、このように第２反転入り口経路１１１Ｂ及び第２反転経路１１２Ｂにより反転排出経路を形成した場合には、反転シートの前にシート１枚分空けるようにする。
【０１１４】
さらに、これまでの説明においては、反転入り口経路を２つ設けた複写機について述べてきたが、本発明は、これに限らずと、反転入り口経路を３つ以上設けるようにしても良い。そして、このように反転入り口経路を３つ以上設けた場合には、選択した反転入り口経路に反転シートを搬送することができるよう例えば反転シートの前、或は後に空けるシート枚数を２枚以上とするようにする。
【０１１５】
ところで、これまでは、ショートサイズのシートにおける搬送制御について述べてきたが、本発明は、これに限らずシートのサイズにあわせてレジスト導入部１１６へのシート搬送タイミング（シート間隔）を変更し、複写機内のシートの循環枚数を変えることで、ショートサイズ（Ａ４、ＬＴＲ、Ｂ５、ｅｔｃ…）のシートだけでなく、ラージサイズ（Ａ３、ＬＤＲ、ＬＧＬ、Ｂ４、ｅｔｃ…）もしくはＲ系（Ａ４Ｒ、ＬＴＲ−Ｒ、Ｂ５Ｒ、ｅｔｃ…）のシートにおいても上記のような動作が可能となる。
【０１１６】
また、これまでの説明においては、シート搬送の駆動源をステッピングモータとして説明していたが、クラッチで行っても良いことは言うまでもない。
【０１１７】
【発明の効果】
以上説明したように本発明によれば、複数の反転入り口経路に順次シートを搬送し、複数の反転入り口経路から反転経路に搬送された順に複数の反転出口経路から再搬送路にシートを搬送するようにすることにより、シート間隔が一定の状態で多数のシートを搬送することができ、これにより装置を大型化することなく高速でシートの両面に画像を形成することができる。
【０１１８】
また、シートを反転排出する場合は、反転したシートを画像形成部に再給紙することなく排出通路に向わせるようにすることにより、省エネを図ることができ、かつコストを低減することができる。
【図面の簡単な説明】
【図１】本発明の実施の形態に係る画像形成装置の一例である複写機の全体構成図。
【図２】上記両面ユニットの構成を示す図。
【図３】上記両面ユニットを用いてシートを画像形成部へ再給紙する際のシートの流れを説明する第１の図。
【図４】上記両面ユニットを用いてシートを画像形成部へ再給紙する際のシートの流れを説明する第２の図。
【図５】上記両面ユニットを用いてシートを画像形成部へ再給紙する際のシートの流れを説明する第３の図。
【図６】上記両面ユニットを用いてシートを画像形成部へ再給紙する際のシートの流れを説明する第４の図。
【図７】上記両面ユニットの反転搬送ジョブを行う場合のレジスト導入部への搬送順番を示した図。
【図８】上記反転搬送ジョブの際のシートの流れを説明する第１の図。
【図９】上記反転搬送ジョブの際のシートの流れを説明する第２の図。
【図１０】上記反転搬送ジョブの際のシートの流れを説明する第３の図。
【図１１】上記反転搬送ジョブの際のシートの流れを説明する第４の図。
【図１２】上記反転搬送ジョブの際のシートの流れを説明する第５の図。
【符号の説明】
８０          制御装置
１００        複写機
１０１        プリンタ部
１０１Ａ      両面ユニット
１０５        画像形成部
１１１Ａ      第１反転入り口経路
１１１Ｂ      第２反転入り口経路
１１２        反転経路
１１２Ａ      第１反転経路
１１２Ｂ      第２反転経路
１１３Ａ，１１３Ｂ，１１３Ｃ，１１３Ｄ給紙カセット
１１５ａ，１１５ｂ搬送パス
１２０Ａ      第１反転出口経路
１２０Ｂ      第２反転出口経路
１２１        両面搬送通路
【図１】
0003720749.tif 000002
【図２】
0003720749.tif 000003
【図３】
0003720749.tif 000004
【図４】
0003720749.tif 000005
【図５】
0003720749.tif 000006
【図６】
0003720749.tif 000007
【図７】
0003720749.tif 000008
【図８】
0003720749.tif 000009
【図９】
0003720749.tif 000010
【図１０】
0003720749.tif 000011
【図１１】
0003720749.tif 000012
【図１２】
0003720749.tif 000013